(57)【要約】【課題】  特殊な受信機を使用することなく、妨害波がＯＦＤＭ波の波形に隠れてしまっても、当該妨害波を検出・測定することができる妨害波検出装置および妨害波検出プログラムを提供する。【解決手段】  妨害波検出装置１は、ＯＦＤＭ波受信装置２で受信されたＯＦＤＭ波が周波数変換され、デジタル信号に変換されてから、当該デジタル信号を入力として、前記ＯＦＤＭ波帯域内に混在していた妨害波を検出するものであって、シンボル切出手段３と、加算平均算出手段５と、ヒストグラム作成手段７と、妨害波判定手段９と、妨害波波形出力手段１１と、を備えた。【選択図】      図１
2005295446.tif 000002
【特許請求の範囲】
【請求項１】
受信装置で受信されたＯＦＤＭ波が周波数変換され、デジタル信号に変換されてから、当該デジタル信号を入力として、前記ＯＦＤＭ波帯域内に混在していた妨害波を検出する妨害波検出装置であって、
前記デジタル信号から、前記ＯＦＤＭ波のシンボルの同期をとり、当該シンボルの開始を示すシンボル開始点を検出して、フーリエ変換に必要なサンプルデータを切り出すサンプルデータ切出手段と、
このサンプルデータ切出手段で切り出されたサンプルデータをフーリエ変換してパワースペクトルを計算する処理を、切り出されたサンプルデータ個数分繰り返して、当該パワースペクトルの加算値を算出する加算手段と、
この加算手段で算出されたパワースペクトルの加算値をソートして、任意個数の最大値を抽出する処理を、予め設定した設定回数分繰り返して、前記最大値の出現位置の度数分布を算出する度数分布算出手段と、
この度数分布算出手段で算出された度数分布における出現位置の度数が予め設定した閾値を超えた場合に、前記妨害波と判定する妨害波判定手段と、
を備えることを特徴とする妨害波検出装置。
【請求項２】
前記妨害波判定手段による判定結果に基づいて、前記妨害波の周波数位置およびＤＵ比を計算して前記妨害波の波形を求め、計算した計算結果および求めた妨害波の波形を表示装置に出力する妨害波波形出力手段を備えることを特徴とする請求項１に記載の妨害波検出装置。
【請求項３】
受信装置で受信されたＯＦＤＭ波が周波数変換され、デジタル信号に変換されてから、当該デジタル信号を入力として、前記ＯＦＤＭ波帯域内に混在していた妨害波を検出する装置を、
前記デジタル信号から、前記ＯＦＤＭ波のシンボルの同期をとり、当該シンボルの開始を示すシンボル開始点を検出して、フーリエ変換に必要なサンプルデータを切り出すサンプルデータ切出手段、
このサンプルデータ切出手段で切り出されたサンプルデータをフーリエ変換してパワースペクトルを計算する処理を、切り出されたサンプルデータ個数分繰り返して、当該パワースペクトルの加算値を算出する加算手段、
この加算手段で算出されたパワースペクトルの加算値をソートして、任意個数の最大値を抽出する処理を、予め設定した設定回数分繰り返して、前記最大値の出現位置の度数分布を算出する度数分布算出手段、
この度数分布算出手段で算出された度数分布における出現位置の度数が予め設定した閾値を超えた場合に、前記妨害波と判定する妨害波判定手段、
として機能させることを特徴とする妨害波検出プログラム。
【請求項４】
前記妨害波判定手段による判定結果に基づいて、前記妨害波の周波数位置およびＤＵ比を計算して前記妨害波の波形を求め、計算した計算結果および求めた妨害波の波形を表示装置に出力する妨害波波形出力手段を有することを特徴とする請求項３に記載の妨害波検出プログラム。
【発明の詳細な説明】
【技術分野】
【０００１】
本発明は、ＯＦＤＭ波の受信に係り、当該ＯＦＤＭ波帯域に混在している妨害波を検出する妨害波検出装置および妨害波検出プログラムに関する。
【背景技術】
【０００２】
従来、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；直交周波数分割多重）波を受信すると共に、ＦＦＴ（Ｆａｓｔ  Ｆｏｕｒｉｅｒ  Ｔｒａｎｓｆｏｒｍ；高速フーリエ変換）出力を有する受信機を用いて、当該受信機のＦＦＴ出力からの信号を利用し、当該ＯＦＤＭ波帯域内に埋もれている（混在している）妨害波を検出・測定する装置（以下、従来の妨害波検出装置という）が実現されている（例えば、特許文献１および非特許文献１参照）。
【０００３】
また、一般的に、ＯＦＤＭ波帯域に埋もれている妨害波の検出は、変調誤差振幅（ＭＥＲ；Ｍｏｄｕｌａｔｉｏｎ  Ｅｒｒｏｒ  Ｒａｔｉｏ）を測定することで可能であるが、妨害波のＤ／Ｕ（Ｄｅｓｉｒｅｄ  ｔｏ  Ｕｎｄｅｓｉｒｅｄ  Ｒａｔｉｏ）等を計算することは、受信したＯＦＤＭ波を復調した際に生じる誤差の原因を特定することができないため、不可能であることが知られている。
【０００４】
【特許文献１】特開２００３−１１０５０９号公報（段落００３１〜００３９、図１）
【非特許文献１】水上  毅「等化前のＦＦＴ信号を使ったＯＦＤＭ帯域内の妨害波検出」  映像情報メディア学会技術報告  Ｖｏｌ．２７，Ｎｏ．１７，ＰＰ．２１〜２４（Ｍａｒ．２００３）
【発明の開示】
【発明が解決しようとする課題】
【０００５】
しかしながら、従来の妨害波検出装置は、受信機のＦＦＴ出力からの信号を利用しているが、現在市販されている汎用的な受信機はＦＦＴ出力を有しておらず、ＯＦＤＭ波の妨害波の検出に、受信機のＦＦＴ出力からの信号を利用できないという問題がある。
【０００６】
また、ＯＦＤＭ波を確実に伝送するために、ブースタ発振等のＣＷ（Ｃｏｎｔｉｎｕｏｕｓ  Ｗａｖｅ；持続波）やアナログ波等により、当該ＯＦＤＭ波帯域内に妨害波が生じた場合、スペクトラムアナライザ等の測定器によって、当該妨害波を検出し、検出した妨害波の周波数やＤ／Ｕ、或いは、妨害波の到来方向を測定する必要があるが、妨害波がＯＦＤＭ波の波形に隠れてしまい、検出・測定することは不可能であるという問題がある。
【０００７】
そこで、本発明では、前記した問題を解決し、受信機のＦＦＴ出力からの信号を利用することなく、妨害波がＯＦＤＭ波の波形に隠れてしまっても検出・測定することができる妨害波検出装置および妨害波検出プログラムを提供することを目的とする。
【課題を解決するための手段】
【０００８】
前記課題を解決するため、請求項１記載の妨害波検出装置は、受信装置で受信されたＯＦＤＭ波が周波数変換され、デジタル信号に変換されてから、当該デジタル信号を入力として、前記ＯＦＤＭ波帯域内に混在していた妨害波を検出する妨害波検出装置であって、サンプルデータ切出手段と、加算手段と、度数分布算出手段と、妨害波判定手段と、を備える構成とした。
【０００９】
かかる構成によれば、妨害波検出装置は、サンプルデータ切出手段によって、入力されたデジタル信号からＯＦＤＭ波のシンボルの同期をとり、当該シンボルの開始を示すシンボル開始点を検出して、フーリエ変換に必要なサンプルデータを切り出す。なお、このデジタル信号は、受信装置に備えられているＯＦＤＭ波受信手段、周波数変換手段およびアナログデジタル変換手段によって、受信された時間軸領域のＯＦＤＭ波（ＯＦＤＭ信号）が、ダウンコンバートされ、ＡＤ変換されたものである。また、ＯＦＤＭ波（ＯＦＤＭ信号）の搬送波（キャリア）は、コンスタレーション（信号配置図）に表されるように、シンボル毎にある特定の符号点に配置されているため、シンボル境界（あるシンボルと次のシンボル）では不連続となり、また、各シンボル区間（シンボル内の全データ）毎に、ほぼ無相関なものであると言える。これに対して、ブースタ発振等によるＣＷ（持続波）等の妨害波は、シンボル境界で連続であり、ほぼ一定の振幅・周波数を有している。この違いを利用して、サンプルデータ切出手段では、デジタル信号（ＡＤ変換したＯＦＤＭ信号）のシンボルの同期をとって、サンプルデータを単位にして切り出している（抽出している）。
【００１０】
続いて、この妨害波検出装置は、加算手段によって、サンプルデータ切出手段で切り出されたサンプルデータをフーリエ変換してパワースペクトルを計算する処理を、切り出されたサンプルデータ個数分繰り返すことで、当該パワースペクトルを加算した値（加算値）を算出する。この加算手段で算出されるものは、スペクトル毎の電力（パワースペクトル）を加算値であり、この加算することによって、ＯＦＤＭ波の波形（ＯＦＤＭ信号波形）に埋もれている妨害波の成分を検出している。
【００１１】
そして、この妨害波検出装置は、度数分布算出手段によって、加算手段で算出されたパワースペクトルの加算値をソート（降順または昇順）し、任意個数の最大値（ピーク値）を抽出する処理を、予め設定した設定回数分繰り返して、最大値の出現位置の度数分布を算出する。なお、設定回数は、妨害波の検出精度と、妨害波を検出するのに要する時間とに関連し、任意に設定することが可能である。つまり、加算手段で算出されたパワースペクトルの加算値を降順に並べ替えて、並べ替えた最大値から任意個数を抽出して、この最大値の抽出を設定回数分繰り返し実行して、最大値の出現位置の度数分布を算出する。例えば、最大値の任意個数（任意箇所）を１５箇所とした場合、繰り返しの設定回数を２０回とした場合、度数分布算出手段では、パワースペクトルの加算値が降順に並べ替えられた結果、最大値から上位１５箇所の出現位置（周波数位置）が検出され、この処理が２０回繰り返される。つまり、作成される度数分布のデータ数は、最大値の任意個数（１５箇所）×繰り返しの設定回数（２０回）＝３００個であり、この３００個のデータの度数が、出現位置毎にカウントされることになる。
【００１２】
そして、この妨害波検出装置は、妨害波判定手段によって、度数分布算出手段で算出された度数分布における出現位置の度数が予め設定した閾値を超えた場合に、妨害波と判定する。なお、この閾値は、繰り返しの設定回数を基準にすることもできるし、この設定回数の半分に設定することもできる（任意数である）。
【００１３】
請求項２記載の妨害波検出装置は、請求項１に記載の妨害波検出装置において、妨害波波形出力手段を備えることを特徴とする。
【００１４】
かかる構成によれば、妨害波検出装置は、妨害波波形出力手段によって、妨害波判定手段による判定結果に基づいて、妨害波の周波数位置およびＤＵ比を計算して妨害波の波形を求め、計算した計算結果および求めた妨害波の波形を表示装置に出力する。つまり、妨害波波形出力手段は、表示装置に、計算結果を表示させると共に、妨害波の波形を描画するものである。
【００１５】
請求項３記載の妨害波検出プログラムは、受信装置で受信されたＯＦＤＭ波が周波数変換され、デジタル信号に変換されてから、当該デジタル信号を入力として、前記ＯＦＤＭ波帯域内に混在していた妨害波を検出する装置を、サンプルデータ切出手段、加算手段、度数分布算出手段、妨害波判定手段、として機能させる構成とした。
【００１６】
かかる構成によれば、妨害波検出プログラムは、サンプルデータ切出手段によって、入力されたデジタル信号からＯＦＤＭ波のシンボルの同期をとり、当該シンボルの開始を示すシンボル開始点を検出して、フーリエ変換に必要なサンプルデータを切り出す。続いて、この妨害波検出プログラムは、加算手段によって、サンプルデータ切出手段で切り出されたサンプルデータをフーリエ変換してパワースペクトルを計算する処理を、切り出されたサンプルデータ個数分繰り返すことで、当該パワースペクトルの加算値を算出する。そして、この妨害波検出プログラムは、度数分布算出手段によって、加算手段で算出されたパワースペクトルの加算値をソートして、任意個数の最大値を抽出する処理を、予め設定した設定回数繰り返して、最大値の出現位置の度数分布を算出する。そして、この妨害波検出プログラムは、妨害波判定手段によって、度数分布算出手段で算出された度数分布における出現位置の度数が予め設定した閾値を超えた場合に、妨害波と判定する。
【００１７】
請求項４記載の妨害波検出プログラムは、請求項３に記載の妨害波検出プログラムにおいて、妨害波波形出力手段を有していることを特徴とする。
【００１８】
かかる構成によれば、妨害波検出プログラムは、妨害波波形出力手段によって、妨害波判定手段による判定結果に基づいて、妨害波の周波数位置およびＤＵ比を計算して妨害波の波形を求め、計算した計算結果および求めた妨害波の波形を表示装置に出力する。
【発明の効果】
【００１９】
請求項１、３記載の発明によれば、ＯＦＤＭ波が受信され周波数変換されてＡＤ変換されたデジタル信号が入力され、このデジタル信号から当該ＯＦＤＭ波のシンボルの同期をとって得たサンプリングデータにフーリエ変換を施しているので、受信装置のＦＦＴ出力からの信号を利用することがない。また、パワースペクトルの加算値の度数分布を求め、この度数分布の各度数と閾値と比較することで、従来のスペクトルアナライザ等の測定器においてＯＦＤＭ波の波形に隠れてしまった妨害波を検出することができる。
【００２０】
請求項２、４記載の発明によれば、妨害波の周波数位置およびＤＵ比を計算して妨害波の波形を求め、計算した計算結果および求めた妨害波の波形を表示装置に出力しているので、従来のスペクトルアナライザ等の測定器においてＯＦＤＭ波の波形に隠れてしまった妨害波を測定（観測）することができる。
【発明を実施するための最良の形態】
【００２１】
次に、本発明の実施形態について、適宜、図面を参照しながら詳細に説明する。
図１は、妨害波検出システムのブロック図である。この図１に示すように、妨害波検出システムＡは、ＯＦＤＭ波受信装置２と、妨害波検出装置１と、表示装置１０を備えている。
妨害波検出システムＡは、ＯＦＤＭ波受信装置２が受信したＯＦＤＭ波に埋もれている（混在している）妨害波を、妨害波検出装置１によって検出し、この検出した結果を表示装置１０に表示させるものである。
【００２２】
妨害波検出装置１の構成の説明に先立ち、ＯＦＤＭ波受信装置２と表示装置１０の説明をする。
ＯＦＤＭ波受信装置２は、ＯＦＤＭ波（ＯＦＤＭ信号）を受信して、当該ＯＦＤＭ波を、妨害波検出装置１において処理可能なデジタル信号に変換するもので、ＯＦＤＭ波受信手段４と、周波数変換手段６と、アナログデジタル変換手段８とを備えている。
【００２３】
ＯＦＤＭ波受信手段４は、地上デジタル放送用の放送波として、空間を伝搬しているＯＦＤＭ波を受信するもので、図示を省略した受信アンテナ、増幅回路、検波回路等を備えているものである。このＯＦＤＭ波受信手段４で受信されたＯＦＤＭ波（ＯＦＤＭ信号）は、周波数変換手段６に出力される。
【００２４】
周波数変換手段６は、ＯＦＤＭ波受信手段４で受信されたＯＦＤＭ波（ＯＦＤＭ信号）の周波数帯域を低い周波数帯域に変換する、いわゆるダウンコンバートするものである。この周波数変換手段６で変換された周波数帯域信号（アナログ信号）はアナログデジタル変換手段８に出力される。
【００２５】
アナログデジタル変換手段８は、周波数変換手段６で周波数帯域が変換（低下）されたＯＦＤＭ波（ＯＦＤＭ信号）を、デジタル信号に変換するものである。このアナログデジタル変換手段８で変換されたデジタル信号は妨害波検出装置１に出力される。
【００２６】
なお、このＯＦＤＭ波受信装置２は、別体の放送波受信回路、別体の周波数変換回路および別体のＡ／Ｄ変換装置等をアセンブリして構成可能なものであり、従来の汎用的なＯＦＤＭ波の受信装置と同等の機能を有しているものである。
【００２７】
表示装置１０は、液晶やプラズマ等のディスプレイによって構成されており、妨害波検出装置１から出力される情報（計算結果、妨害波の波形）を表示するものである。なお、この実施形態では、表示装置１０は独立した別個の装置として取り扱っているが、妨害波検出装置１と一体的に設けられていてもよい。
【００２８】
〈妨害波検出装置の構成〉
これから、妨害波検出装置１の構成について説明する。
妨害波検出装置１は、ＯＦＤＭ波受信装置２で変換されたデジタル信号に変換されたＯＦＤＭ波（ＯＦＤＭ信号）を入力として、ＯＦＤＭ波帯域に埋もれていた（混在していた）妨害波を検出するもので、シンボル切出手段（サンプルデータ切出手段）３と、加算平均算出手段（加算手段）５と、ヒストグラム作成手段（度数分布算出手段）７と、妨害波判定手段９と、妨害波波形出力手段１１とを備えている。
ちなみに、この妨害波検出装置１で検出可能な妨害波は、ブースタ発振等によるＣＷ（持続波）や、地上アナログ放送の放送波であるアナログ波等を指している。
【００２９】
シンボル切出手段（サンプルデータ切出手段）３は、入力されたデジタル信号から、ＯＦＤＭ波（ＯＦＤＭ信号）のシンボルの同期をとって、当該シンボルの開始を示すシンボル開始点を検出して、当該シンボルを切り出す（抽出する）ものである。なお、この実施形態では、シンボル切出手段３は、シンボル開始点に基づいてシンボル（有効シンボル）を切り出しているが、当該シンボルに限らずに、加算平均算出手段５で、フーリエ変換可能なデータ（サンプルデータ）であればよい。
【００３０】
ＯＦＤＭ波の搬送波は、数百から数千もの数にのぼり（いわゆるマルチキャリア）、伝搬させる情報を分散させて運ぶもので、各搬送波の変調方式には、６４ＱＡＭ（６４  Ｑｕａｄｒａｔｕｒｅ  Ａｍｐｌｉｔｕｄｅ  Ｍｏｄｕｌａｔｉｏｎ）等のＱＡＭ方式が採用されている。
【００３１】
シンボル（有効シンボル）は、ＯＦＤＭ波によって伝搬させる情報の最小の構成単位であり、通常、各シンボルは、当該ＯＦＤＭ波の遅延波や反射波による影響（干渉）を防止するために設けられている緩衝時間であるガードインターバルによって区切られている。
【００３２】
シンボル開始点は、複数のシンボル（有効シンボル）がガードインターバルを介して連続する際に、当該ガイドインターバルからシンボルに移り変わるポイントを示しているものである。ガードインターバルは、シンボルの一部分（終端部分）を複写して当該シンボルに付加したものであるので、この複写した部分を検出することによって、当該複写した部分に連続する箇所がシンボル開始点として判明することとなる。
【００３３】
加算平均算出手段５は、シンボル切出手段３で切り出された（抽出された）シンボルを高速フーリエ変換（ＦＦＴ）して、パワースペクトルを計算する処理を、切り出されたシンボルの数だけ繰り返して行って、当該パワースペクトルの加算平均を算出するものである。なお、この実施形態では、以下の処理（ヒストグラム作成手段７以降）を円滑にするために、パワースペクトルの加算平均（加算平均値）を算出しているが、平均値を算出せずに、パワースペクトル同士を加算した加算値を求める態様であってもよい。
【００３４】
高速フーリエ変換は、入力された情報（波形）を、標本に分類して、スペクトル解析を行うもので、ここでは、入力されたシンボルを、電力のスペクトルであるパワースペクトルに変換している。
【００３５】
パワースペクトルは、各シンボルに対して、当該シンボルに含まれている周波数成分（周波数位置）と、電力の振幅値とを関連付けて、周波数の大きさに従って順次配列したものである。
【００３６】
パワースペクトルの加算平均は、抽出されたシンボルの数だけ（シンボル個数分）、各シンボルの周波数成分毎の電力の振幅値を加算して、平均をとることである。
【００３７】
ヒストグラム作成手段（度数分布算出手段）７は、加算平均算出手段５で加算平均されたパワースペクトルを降順（大きい値から小さい値の順）に並べ替えて（ソートして）、任意個数の最大値（ピーク値）を抽出する処理を、予め設定した設定回数分繰り返して、最大値の出現位置（周波数位置）の度数分布（ヒストグラム）を作成するものである。
【００３８】
この実施形態では、任意個数を１０個としており、１０点分の電力の振幅値（ピーク値）における周波数位置を求めている。また、設定回数を１０回としており、１０回分、シンボル切出手段３に入力されたデジタル信号について、同様の処理が繰り返し実行される。
【００３９】
妨害波判定手段９は、ヒストグラム作成手段７で作成されたヒストグラム（最大値の出現位置の度数分布）における出現位置の度数と、予め設定した閾値とを比較することによって、ヒストグラム（度数分布）における出現位置（周波数位置）に妨害波が含まれているか否かを判定するものである。
【００４０】
妨害波波形出力手段１１は、妨害波判定手段９によって、ヒストグラムにおける出現位置（周波数位置）に妨害波が含まれていると判定された場合には、この加算平均値の周波数成分（周波数位置）と、Ｄ／Ｕとを計算して、妨害波の波形を求めて、計算した計算結果と、妨害波の波形とを表示装置１０に出力するものである。
【００４１】
この妨害波波形出力手段１１は、ヒストグラム作成手段７で作成したヒストグラムによって、加算平均値の周波数成分（周波数位置）を検出する。また、Ｄ／Ｕは、加算平均手段５で加算平均されてヒストグラ作成手段７で検出されなかったパワースペクトルの合計（電力値の合計）と、ヒストグラム作成手段７で検出されたパワースペクトルと除算（デジベル上の引き算）によって求められる。
【００４２】
妨害波の波形は、この妨害波波形出力手段１１によって、加算平均値の周波数成分（周波数位置）とＤ／Ｕ（ＤＵ比）とを用いて描画される。つまり、横軸を周波数軸とし、縦軸を電力の振幅軸とすると、周波数成分（周波数位置）によって、周波数軸上の位置が確定し、Ｄ／Ｕによって、元々のＯＦＤＭ波との振幅の比（振幅値）が求められて、振幅軸上の位置が確定するので、妨害波の波形が判明することとなる。
【００４３】
この妨害波検出装置１によれば、シンボル切出手段３によって、入力されたデジタル信号からＯＦＤＭ波のシンボルの同期がとられ、当該シンボルの開始を示すシンボル開始点が検出されて、当該シンボルが切り出される（抽出される）。続いて、加算平均算出手段５によって、シンボル切出手段３で抽出されたシンボルがフーリエ変換されて、パワースペクトルが計算される処理が、抽出したシンボル個数分繰り返されることで、当該パワースペクトルの加算平均が算出される。そして、ヒストグラム作成手段７によって、加算平均算出手段５で算出されたパワースペクトルの加算平均が降順に並べ替えられて、並べ替えられた任意個数の最大値（ピーク値）を抽出する処理を、予め設定した設定回数分（１０個）繰り返されて、この最大値の出現位置（周波数位置）の度数分布を示すヒストグラムが作成される。そして、妨害波判定手段９によって、ヒストグラム作成手段７で作成されたヒストグラムにおける出現位置の度数と、閾値とが比較されることで、妨害波か否かが判定される。その後、妨害波波形出力手段１１によって、妨害波判定手段９による判定結果に基づいて、妨害波の周波数位置およびＤ／Ｕが計算されて妨害波の波形が求められ、計算結果および妨害波の波形が表示装置１０に出力される。このため、ブースタ発振等によるＣＷ（持続波）や、アナログ波混信等の妨害波の影響によってＯＦＤＭ波の受信障害が発生した場合に、当該妨害波の周波数（周波数の位置）やＤ／Ｕ等を検出・測定することができる。そして、この妨害波検出装置１を使用して、妨害波の発生源を推定することが可能になり、何らかの対策を実施することができる。
【００４４】
〈妨害波検出システムの動作〉
次に、図２に示すフローチャートを参照して、妨害波検出システムＡの動作（妨害波検出装置１の動作を包含）について説明する（適宜、図１参照）。
まず、ＯＦＤＭ波受信装置２は、伝搬しているＯＦＤＭ波をＯＦＤＭ波受信手段４によって受信する（ステップＳ１）。続いて、ＯＦＤＭ波受信装置２は、周波数変換手段６によってＯＦＤＭ波（ＯＦＤＭ信号）の周波数帯域をダウンコンバートする（低域に変換する）（ステップＳ２）。そして、ＯＦＤＭ波受信装置２は、アナログデジタル変換手段８によって、アナログ信号であるＯＦＤＭ信号をデジタル信号に変換する（ステップＳ３）。そして、ＯＦＤＭ波受信装置２は、変換したデジタル信号を妨害波検出装置１に出力する。
【００４５】
すると、妨害波検出装置１は、シンボル切出手段３によって、入力されたデジタル信号から、ＯＦＤＭ波の搬送波（キャリア）それぞれに配置してあるシンボルの同期をとる（ステップＳ４）。
【００４６】
そして、妨害波検出装置１は、シンボル切出手段３によって、シンボルを切り出して（ステップＳ５）、加算平均算出手段５によって、切り出されたシンボルにＦＦＴ（高速フーリエ変換）を施して（ステップＳ６）、各シンボルのパワースペクトルを計算する（ステップＳ７）。そして、妨害波検出装置１は、加算平均算出手段５によって、このパワースペクトルの計算が切り出したシンボル個数に達したかどうかを判断する（ステップＳ８）。つまり、シンボル個数分のパワースペクトルの計算が完了したかどうかを判断する。
【００４７】
そして、妨害波検出装置１は、加算平均算出手段５によって、パワースペクトルの計算が、切り出されたシンボル個数に達したと判断するまで（ステップＳ８、Ｎｏ）、ステップＳ５〜ステップＳ７を繰り返し実行し、シンボル個数に達したと判断した場合（ステップＳ８、Ｙｅｓ）、妨害波検出装置１は、加算平均算出手段５によって、パワースペクトルの加算平均を算出する（ステップＳ９）。
【００４８】
引き続いて、妨害波検出装置１は、ヒストグラム作成手段７によって、パワースペクトルの加算平均を降順にソートして、任意個数（ここでは、１０個）の最大値（ピーク値）を検出し（ステップＳ１０）、この最大値が検出された周波数位置をカウントしたヒストグラムを作成する（ステップＳ１１）。そして、妨害波検出装置１は、ヒストグラム作成手段７によって、ステップＳ４からステップＳ１１までの処理が予め設定した設定回数に達したかどうか否かを判断し（ステップＳ１２）、達したと判断するまで（ステップＳ１２、Ｎｏ）繰り返し処理する。
【００４９】
そして、ステップＳ４からステップＳ１１までの処理が予め設定した設定回数に達したと判断した場合（ステップＳ１２、Ｙｅｓ）、妨害波検出装置１は、妨害波判定手段９によって、ヒストグラムにおける周波数位置（出現位置）の度数が予め設定した閾値を上回った（超えた）場合に、当該ヒストグラムにおける周波数位置（出現位置）に妨害波が含まれているとして検出する（ステップＳ１３）。
【００５０】
それから、妨害波検出装置１は、妨害波波形出力手段１１によって、妨害波が含まれているとして検出されたヒストグラムの周波数位置と、Ｄ／Ｕ（ＤＵ比）を計算して（ステップＳ１４）妨害波の波形を求めて表示装置１０に出力（描画）する（ステップＳ１５）。
【００５１】
〈妨害波の検出の仕方について〉
次に、図３を参照して、妨害波検出装置１によって、妨害波を検出する際の仕方について説明する（適宜、図１参照）。
この図３は、妨害波を検出する際の概念を説明した図である。
【００５２】
この図３に示すように、シンボル切出手段３によって切り出された４つのシンボルであるシンボルｎ、シンボルｎ＋１、シンボルｎ＋２およびシンボルｎ＋３について、加算平均算出手段５によって加算平均が算出され、この加算平均が算出されたヒストグラムにおいて、突出している箇所が妨害波に相当する。
【００５３】
以上、本発明の実施形態について説明したが、本発明は前記実施形態には限定されない。例えば、本実施形態では、妨害波検出システムＡに含まれてる妨害波検出装置１として説明したが、この妨害波検出装置１の各構成の処理を汎用的または特殊なコンピュータ言語で記述した妨害波検出プログラムとみなすことも可能であるし、各構成の処理をＯＦＤＭ波から妨害波を検出する一つずつの過程ととらえた妨害波検出方法とみなすことも可能である。これらの場合、妨害波検出装置１と同様の効果を得ることができる。
【図面の簡単な説明】
【００５４】
【図１】本発明の実施形態に係る妨害波検出システム（妨害波検出装置を包含）のブロック図である。
【図２】図１に示した妨害波検出システム（妨害波検出装置を包含）の動作を説明したフローチャートである。
【図３】妨害波を検出する際の概念を説明した図である。
【符号の説明】
【００５５】
１      妨害波検出装置
３      シンボル切出手段（サンプルデータ切出手段）
５      加算平均算出手段（加算手段）
７      ヒストグラム作成手段（度数分布算出手段）
９      妨害波判定手段
１１    妨害波波形出力手段
【図１】
2005295446.tif 000003
【図２】
2005295446.tif 000004
【図３】
2005295446.tif 000005